(57)【特許請求の範囲】
【請求項１】
基台１の前後両端位置に回動自在に取り付けた一対の支持具４にて支持されたレール５に回転刃１０を有するスライダー６を摺動自在に装着してあり、前記スライダー６は弾発部材１１により常時上方に弾発支持されて、前記レール５の上面と前記スライダー６の案内枠８の上面内壁との間にはスライダー６の昇降を許容する空間Ｓが形成されており、前記スライダー６が上方に弾発支持されている時は回転刃１０の刃先がレール５の下端より上方に位置し、前記スライダー６を押圧して下降させると回転刃１０の刃先がレール５の下端より突出するペーパーカッターにおいて、前記スライダー６の案内枠８の側面８ａの内壁と対向する位置に前記空間Ｓと連通する収容部１３を形成し、前記側面８ａ内壁と前記収容部１３の内壁との間には、移動体１５を摺動自在に支持した軸１４を収容部１３の内壁に向かって下方に傾斜させて設け、前記レール５が下方に位置してスライダー６が基台１と垂直となっている時、前記移動体１５は収容部１３内に位置して回転刃１０の刃先はレール５の下端より突出可能となり、前記レール５を上方もしくは下方に位置させる際に前記支持具４が前記軸１４の傾斜角度以上回動した状態にある時、前記移動体１５は自重により軸１４に沿って摺動して空間Ｓ内に位置して、回転刃１０の刃先はレール５の下端より突出不可能となることを特徴とするペーパーカッター。
【発明の詳細な説明】
【０００１】
【発明の属する技術分野】
本発明は、回転刃を有するスライダーを下方に押圧しながらレールに沿って摺動させることにより紙を切断するペーパーカッターに関するものである。
【０００２】
【従来の技術】
従来より、回転刃を有するスライダーを下方に押圧しながらレールに沿って摺動させることにより回転刃が基台に載せられた紙を押し付けた状態で回転し、これにより紙を切断することができるペーパーカッターは知られており、例えば、米国特許５，３２２，００１号、特開平１０−３４５９２号などに開示されている。この種のペーパーカッターは、基台の前後両端に回動自在に取り付けられた支持具にてレールを支持し、そのレールに回転刃を有するスライダーを摺動自在かつ昇降自在に装着してあるもので、そのスライダーは弾発部材により常時は上方に弾発支持されており、回転刃の刃先は常時はレールの下端よりも上方に位置しているものである。そして、切断しようとする紙を基台に載せたりスライダーに保持された回転刃を交換する作業は、支持具を回動させてレールを上方に位置させた状態で行うものとしており、紙を載せた後や回転刃を交換した後には、再度支持具を回動させてレールを下方に位置させるものとしている。
【０００３】
【発明が解決しようとする課題】
ところが、従来のこの種のペーパーカッターではスライダーがレールに対して常に昇降自在となっているため、支持具を回動させてレールを上方もしくは下方に位置させる時や、紙を基台に載せたり回転刃を交換する時に、例えばスライダーを手で握るようにして持つなどして、スライダーを常時上方に弾発支持している弾発部材の弾発力に抗する力がスライダーに少しでも加わると、スライダーが下降して回転刃の刃先がレールの下端より突出してしまい、その刃先で手や指を傷つけてしまう恐れがあった。そこで、本発明はそのような問題点を解消して、レールを上方もしくは下方に位置させる時や、基台に紙を載せる時や、回転刃を交換する時において、手や指を傷つける恐れのない安全性の高いペーパーカッターを提供することを目的とするものである。
【０００４】
【課題を解決するための手段】
本発明は前記課題を解決するために、基台１の前後両端位置に回動自在に取り付けた一対の支持具４にて支持されたレール５に回転刃１０を有するスライダー６を摺動自在に装着してあり、前記スライダー６は弾発部材１１により常時上方に弾発支持されて、前記レール５の上面と前記スライダー６の案内枠８の上面内壁との間にはスライダー６の昇降を許容する空間Ｓが形成されており、前記スライダー６が上方に弾発支持されている時は回転刃１０の刃先がレール５の下端より上方に位置し、前記スライダー６を押圧して下降させると回転刃１０の刃先がレール５の下端より突出するペーパーカッターにおいて、前記スライダー６の案内枠８の側面８ａの内壁と対向する位置に前記空間Ｓと連通する収容部１３を形成し、前記側面８ａ内壁と前記収容部１３の内壁との間には、移動体１５を摺動自在に支持した軸１４を収容部１３の内壁に向かって下方に傾斜させて設け、前記レール５が下方に位置してスライダー６が基台１と垂直となっている時、前記移動体１５は収容部１３内に位置して回転刃１０の刃先はレール５の下端より突出可能となり、前記レール５を上方もしくは下方に位置させる際に前記支持具４が前記軸１４の傾斜角度以上回動した状態にある時、前記移動体１５は自重により軸１４に沿って摺動して空間Ｓ内に位置して、回転刃１０の刃先はレール５の下端より突出不可能となるようにしたペーパーカッターである。
【０００５】
【発明の実施の形態】
以下、本発明の実施の形態を図面を基にして詳細に説明する。図１〜図７は本発明の一実施例を示すものである。１は切断する紙を載せる基台で前後両端位置には一対の支持片２、２が立設してあり、又、後述するスライダー６の回転刃１０と対向する位置にはカッターマット３が設けてある。このカッターマット３は両面テープにて接着固定してあるものであり、このカッターマット３が古くなった場合には両面テープを剥すことにより新たなものと交換することができる。
【０００６】
４、４は前記支持片２、２に枢着することにより回動自在に取り付けられた一対の支持具であり、この一対の支持具４、４の間には断面略コ字状のレール５が支持されている。このレール５は前端部分を前端側の支持具４の側面に嵌合固定すると共に後端部分を後端側の支持具４の側面に嵌合固定することにより支持されているものであり、この一対の支持具４、４を上方に回動させることによりレール５は図５に示すように上方に位置して、この状態にて基台１に紙を載せることができるものであり、図１に示すようにレール５が下方に位置している時には、基台１に載せられた紙はレール５により押さえつけられるものとなっている。尚、レール５を支持具４、４に支持させる方法は前記したように嵌合固定によるものの他、ネジにより固定して保持させるものであっても良い。
【０００７】
６はレール５に摺動自在に装着されたスライダーであり、図２、図３に示すようにスライダー本体７と、そのスライダー本体７に一体に形成された軸体９を回転軸として装着される円形の回転刃１０と、スライダー本体７の背面下方に取り付けられた弾発部材１１と、スライダー本体７の回転刃１０装着側に着脱自在に取り付けられて、回転刃１０の一側面を支持して回転刃１０を回転自在に支持すると共に紙の切断中に回転刃１０を覆い隠して指を傷つけないようにするキャップ１２とを備えているものである。又、スライダー本体７の背面にはレール５の上方を覆う案内枠８が形成してある。
【０００８】
ここで、本実施例では弾発部材１１を弾力性のあるプラスチック製のものとしているが、この弾発部材１１は金属製のコイルスプリングなどであっても良い。又、本実施例におけるキャップ１２の着脱の構成については、図示していないがキャップ１２を左右に回動させることにより着脱をすることができるツイスト式のものとしている。しかしながら、このキャップ１２の着脱の構成についてはツイスト式の他、圧入嵌合、凹凸嵌合、ネジ式など様々な公知の形態であっても良く、その形態は特に問わない。
【０００９】
そして、スライダー６の装着方法は、レール５を一対の支持具４、４に支持させる前において、レール５の前端もしくは後端から弾発部材１１をレール５の内部に差し込むことにより図３に示すような形態で装着されるものであり、このように装着した状態においては、スライダー６は弾発部材１１によりレール５に対して常時上方に弾発支持されている。そして、スライダー６が弾発部材１１により上方に弾発支持されている時、スライダー本体７の背面に形成された案内枠８の上面内壁とレール５の上面の間には空間Ｓが形成されるので、弾発部材１１により上方に弾発支持されているスライダー６を下方に押圧すると、スライダー６はその空間Ｓの範囲内において下降することができ、押圧を解くとスライダー６は上昇して元の位置に戻る。つまり、スライダー６は空間Ｓにより昇降が許容されているものである。そして、スライダー６が弾発部材１１により上方に弾発支持されている時、回転刃１０の刃先は図３に示すようにレール５の下端よりも上方に位置しており、スライダー６を下方に押圧して下降させた時、回転刃１０の刃先は図４に示すようにレール５の下端より突出するものである。尚、スライダー６を下方に押圧して下降させて回転刃１０の刃先が図４に示すようにレール５の下端より突出した時、空間Ｓは完全に塞がれることはないものである。
【００１０】
１３はスライダー本体７の案内枠８の側面８ａ内壁と対向する位置に形成された収容部である。この収容部１３は回転刃１０の装着側に向かって窪んでおり、空間Ｓと連通状態となっているものであり、この収容部１３の高さは、図３に示すようにスライダー６が弾発部材１１により上方に弾発支持されている状態における空間Ｓの高さと同一である。そして、図３に示すように案内枠８の側面８ａの内壁と収容部１３の内壁との間には、案内枠８の側面８ａ内壁から収容部１３の内壁に向かって下方に傾斜した軸１４が設けてあり、この軸１４には球状の移動体１５が軸１４に沿って摺動自在に支持されている。ここで、収容部１３の内壁に向かって下方に傾斜している軸１４の傾斜角度は本実施例においては３°としているが、この傾斜角度は２°〜１５°とするのが好ましい。そして、軸１４が収容部１３の内壁に向かって下方に傾斜しているため、図１に示すようにレール５が下方に位置してスライダー６が基台１と垂直になっている時は図３、図４に示すように自重により収容部１３内に位置しており、スライダー６が弾発部材１１により上方に弾発支持されている状態において、図５、図６に示すように支持具４、４を上方に回動させてレール５を上方に位置させる際にスライダー６が案内枠８の側面８ａの方向に傾いて、軸１４の側面８ａ内壁側の端部が収容部１３内壁側の端部より下方に位置した状態、すなわち支持具４、４が軸１４の傾斜角度以上回動した状態では、移動体１５は自重により案内枠８の側面８ａ内壁に当接するまで摺動して空間Ｓ内に位置するものである。又、支持具４、４を下方に回動させて、レール５を上方に位置している状態から下方に位置させてスライダー６が基台１と垂直になると、案内枠８の側面８ａ内壁に当接して空間Ｓ内に位置していた移動体１５は、自重により収容部１３の内壁に当接するまで摺動して収容部１３内に位置するものである。
【００１１】
そして、軸１４及び移動体１５は、図３に示すように移動体１５が収容部１３に位置する時には図４に示すようにスライダー６を下降させた際に回転刃１０の刃先がレール５の下端より突出するように設けられ、且つ、スライダー６が弾発部材１１により上方に弾発支持されている状態において、図６に示すように移動体１５が案内枠８の側面８ａ内壁に当接して空間Ｓ内に位置する時には、図７に示すようにスライダー６を押圧しても回転刃１０の刃先がレール５の下端から突出しないように設けられるものであり、スライダー６が弾発部材１１により上方に弾発支持された状態における移動体１５とレール５の上面までの寸法Ｈ１と回転刃１０の刃先とレール５の下端までの寸法Ｈ２との関係は、Ｈ１＜Ｈ２となっている。ここで、本実施例では軸１４、移動体１５は共に金属製のものとして、移動体１５が軸１４に沿ってスムーズに摺動できるようにしているが、軸１４をプラスチック製としたり、移動体１５をプラスチック製やガラス製としたりすることも可能であり、移動体１５が自重により軸１４に沿ってスムーズに摺動できるのであれば、軸１４、移動体１５の材質は特に問わない。
【００１２】
そして、軸１４、移動体１５の組み付け方法は、スライダー６をレール５に装着する前において、まず、軸１４を球状の移動体１５の中心に設けられた貫通孔（図示せず）に差し込んで軸１４と移動体１５を一体としておき、その後に軸１４の一端を収容部１３の内壁の凹部１６に嵌合させ、他端を案内枠８の側面８ａ内壁に沿って空間Ｓ内に無理入れして凹部１７に嵌合させるものである。尚、この軸１４、移動体１５の組み付け方法は、前記した方法の他にも、例えば案内枠８の側面８ａに貫通孔を設け（図示せず）、その貫通孔と移動体１５の貫通孔（図示せず）を連通状態として軸１４を案内枠８の側面８ａの貫通孔に外側から差し込んで、軸１４を案内枠８の側面８ａの内壁と収容部１３の内壁との間に設けるといったことも可能であり、軸１４、移動体１５の組み付け方法は特に問わない。
【００１３】
次に、本実施例によるペーパーカッターを使用する際には、まず、レール５が下方に位置している状態において、スライダー６を上方に弾発支持された状態でレール５の後端まで摺動させる。尚、この時、移動体１５は収容部１３内に位置している。そして、スライダー６をレール５の後端に位置させたら、図５に示すように支持具４、４を上方に回動させてレール５を上方に位置させる。すると、スライダー６は図６に示すよ案内枠８の側面８ａの方向に傾いて軸１４の側面８ａ内壁側の端部が収容部１３内壁側の端部より下方に位置するので、収容部１３内に位置していた移動体１５は自重により軸１４に沿って案内枠８の側面８ａ内壁に当接するまで摺動し、空間Ｓ内に位置する。つまり、支持具４、４が軸１４の傾斜角度以上回動した時に、移動体１５は自重により軸１４に沿って案内枠８の側面８ａ内壁に当接するまで摺動し、空間Ｓ内に位置する。そして、この状態で弾発部材１１によりレール５に対して上方に弾発支持されたスライダー６を図７に示す矢印の方向に押圧しても、図７に示すように移動体１５がレール５の上面に当接して、スライダー６は回転刃１０の刃先がレール５の下端から突出するまでは下降することができない。従って、この状態において回転刃１０の刃先がレール５の下端から突出することはない。これは、スライダー６が弾発部材１１により上方に弾発支持された状態における移動体１５とレール５の上面までの寸法Ｈ１と回転刃１０の刃先とレール５の下端までの寸法Ｈ２との関係がＨ１＜Ｈ２となっているからである。
【００１４】
次に、図５に示すようにレール５を上方に位置させたら、切断しようとする紙（図示せず）を基台１に載せる。そして、紙を基台１に載せたら、支持具４、４を下方に回動させてレール５を下方に位置させる。そして、レール５を下方に位置させてスライダー６が図３に示すように基台１と垂直になった時、案内枠８の側面８ａ内壁に当接して空間Ｓ内に位置していた移動体１５は自重により軸１４に沿って収容部１３の内壁に当接するまで摺動して、収容部１３内に位置する。これは、軸１４が収容部１３の内壁に向かって下方に傾斜しているからである。以上の作業により、紙を切断する準備が整ったこととなる。
【００１５】
尚、レール５を下方に位置させる途中の段階において、スライダー６は案内枠８の側面８ａの方向に傾いており、軸１４の側面８ａ内壁側の端部が収容部１３内壁側の端部より下方に位置している間、すなわち支持具４、４が軸１４の傾斜角度以上回動した位置にある間は、移動体１５は案内枠８の側面８ａ内壁に当接して空間Ｓ内に位置しているので、レール５を下方に位置させる途中の段階においても回転刃１０の刃先がレール５の下端から突出することはない。
【００１６】
ここで、前記した紙を切断する準備の一連の作業において、レール５を上方あるいは下方に位置させる時や紙を基台１に載せる時においては、回転刃１０の刃先は常にレール５の下端から突出することはないので、前記したようなレール５を上方あるいは下方に位置させる作業や紙を基台１に載せる作業を行なう際に、回転刃１０の刃先により手や指を傷つける恐れがない。
【００１７】
そして、紙を切断する準備が整った後は、スライダー６を下方に押圧しながら前方に摺動させる。すると、回転刃１０はその刃先が図４に示すようにレール５の下端から突出した状態で紙を押し付けながら回転するので、これにより、基台１に載せられた紙を切断することができる。尚、この切断時において、基台１にはカッターマット３が設けてあるので、このカッターマット３により回転刃１０の切れ味は鋭いものとなり、又、回転刃１０の刃先を傷めることもない。
【００１８】
そして、紙の切断が終了したら、スライダー６への押圧を解いてスライダー６を上方に弾発支持された状態にし、その状態で、前記した紙を切断する準備の一連の作業と同様にして、図５に示すように支持具４、４を上方に回動させてレール５を上方に位置させる。この後、切断された紙を基台１より取り出す。尚、このように紙を基台１より取り出す場合においても移動体１５は図６に示すように空間Ｓ内に位置しており、スライダー６は図７に示すように回転刃１０の刃先がレール５の下端から突出するまで下降することができず、回転刃１０の刃先がレール５の下端から突出することはないので、紙を基台１より取り出す場合においても回転刃１０の刃先により手や指を傷つける恐れがない。
【００１９】
以上が、本実施例におけるペーパーカッターによる紙の切断方法であるが、回転刃１０を交換する場合は、前記した紙を切断する準備の一連の作業と同様に図５、図６、図７に示すようにレール５を上方に位置させた後にキャップ１２を取り外して回転刃１０を交換するものであるので、回転刃１０を交換するためにキャップ１２を取り外す際においても手や指を傷つける恐れがない。
【００２０】
以上、本発明の実施の形態として一実施例を説明してきたが、前記した実施例における移動体１５は球状としていたが、この移動体１５は図８に示すように円柱状であったり、他にも角柱状、楕円状であっても良く、その形状は特に問わないものである。又、図９に示すように球体の上部に軸１４を通すリングを設けたものを移動体１５としても良い。要するに、この移動体１５は、レール５が下方に位置してスライダー６が基台１と垂直になっている時には、自重により収容部１３内に位置してスライダー６を押圧して下降させることにより回転刃１０の刃先をレール５の下端より突出させることができ、且つ、レール５を上方もしくは下方に位置させる際に支持具４、４が軸１４の傾斜角度以上回動した状態にある時には、自重により軸１４に沿って摺動して空間Ｓ内に位置してスライダー６を押圧しても回転刃１０の刃先がレール５の下端から突出しないようにすることができるものであれば良いものである。
【００２１】
【発明の効果】
以上のような構成とした本発明によれば、レール５が下方に位置してスライダー６が基台１と垂直となっている時には、移動体１５が自重により収容部１３内に位置して回転刃１０の刃先はレール５の下端より突出可能となり、レール５を上方もしくは下方に位置させる際に、スライダー６が案内枠８の側面８ａの方向に傾いて軸１４の側面８ａ内壁側の端部が収容部１３内壁側の端部より下方に位置している時、すなわち支持具４、４が軸１４の傾斜角度以上回動した状態にある時は、移動体１５が自重により軸１４に沿って摺動して空間Ｓ内に位置して、スライダー６を押圧しても回転刃１０の刃先がレール５の下端から突出しないので、レール５を上方もしくは下方に位置させたり、レール５を上方に位置させた状態で紙を基台１に載せたり、回転刃１０を交換したりする作業を行なう際に、回転刃１０の刃先により手や指を傷つける恐れがないものであり、本発明のペーパーカッターは安全性が高いものである。
【図面の簡単な説明】
【図１】本発明の一実施例の全体斜視図。
【図２】本発明の一実施例のスライダー６の一部透視背面図。
【図３】本発明の一実施例のスライダー６が上方に弾発支持されている状態を示す要部断面図。
【図４】本発明の一実施例のスライダー６を下降させた状態を示す要部断面図。
【図５】本発明の一実施例のレール５を上方に位置させた状態を示す一部切欠斜視図。
【図６】本発明の一実施例のレール５を上方に位置させた状態を示す要部断面図。
【図７】本発明の一実施例のレール５を上方に位置させた状態においてスライダー６を押圧した状態を示す要部断面図。
【図８】他の移動体１５の例を示す斜視図。
【図９】更に他の移動体１５の例を示す斜視図。
【符号の説明】
１  基台
２  支持片
３  カッターマット
４  支持具
５  レール
６  スライダー
７  スライダー本体
８  案内枠
９  軸体
１０  回転刃
１１  弾発部材
１２  キャップ
１３  収容部
１４  軸
１５  移動体
１６、１７  凹部
Ｓ  空間
【図１】
0003999897.tif 000002
【図２】
0003999897.tif 000003
【図３】
0003999897.tif 000004
【図４】
0003999897.tif 000005
【図５】
0003999897.tif 000006
【図６】
0003999897.tif 000007
【図７】
0003999897.tif 000008
【図８】
0003999897.tif 000009
【図９】
0003999897.tif 000010